(57)【要約】【課題】ガスケットが封口缶の周壁部上に成形された扁平形電池において、ガスケットの射出成形時に、封口缶の周壁部が変形するのを防止しつつ、成形型内に樹脂材料を効率良く注入可能な構成を得る。【解決手段】扁平形電池（１）は、有底筒状の正極缶（１０）と、該正極缶（１０）の開口を覆う有底筒状の負極缶（２０）と、正極缶（１０）と負極缶（２０）とによって挟み込まれるガスケット（３０）とを備える。ガスケット（３０）は、負極缶（２０）の周壁部（２２）の少なくとも一部を覆うように該周壁部（２２）上に成形された被覆部（３１）と、該被覆部（３１）と一体に形成され、該被覆部（３１）から筒軸方向に突出する突出部（３２）とを有する。突出部（３２）は、ガスケット（３０）の射出成形に用いる成形型の注入口に対応して形成される注入部（３３）を有する。【選択図】図１
2014022120.tif 000002
【特許請求の範囲】
【請求項１】
筒軸方向に延びる筒状側壁部を有する有底筒状の外装缶と、
前記筒軸方向に延びる周壁部を有し、該周壁部が前記外装缶の内方に位置付けられるように前記外装缶の開口を覆う有底筒状の封口缶と、
前記封口缶の周壁部上に射出成形によって形成され、前記外装缶と前記封口缶とによって挟み込まれるガスケットとを備え、
前記ガスケットは、
前記封口缶の周壁部の少なくとも一部を覆うように該周壁部上に成形される被覆部と、
前記被覆部と一体に形成され、前記周壁部に対して前記筒軸方向の外方に位置する突出部とを有し、
前記突出部は、前記ガスケットの射出成形に用いる成形型の注入口に対応して形成される注入部を有する、扁平形電池。
【請求項２】
請求項１に記載の扁平形電池において、
前記被覆部及び前記突出部は、前記外装缶側に位置する部分が、前記外装缶の筒状側壁部と前記封口缶の周壁部との間に挟み込まれ、
前記注入部は、前記突出部のうち前記外装缶の筒状側壁部と面する部分に位置する、扁平形電池。
【請求項３】
請求項２に記載の扁平形電池において、
前記注入部は、前記突出部の表面に形成された凹部を有する、扁平形電池。
【請求項４】
請求項１から３のいずれか一つに記載の扁平形電池において、
前記突出部は、前記筒軸方向の長さが、該突出部の厚み方向の寸法よりも大きい、扁平形電池。
【請求項５】
有底筒状の封口缶を形成する封口缶形成工程と、
前記封口缶の周壁部上に、成形型を用いて、前記封口缶の周壁部を覆う被覆部と該被覆部から突出する突出部とを有するガスケットを射出成形するガスケット成形工程とを備え、
前記ガスケット成形工程では、射出成形時に、前記成形型のうち前記突出部を形成する部分に対して樹脂を射出することにより前記ガスケットを成形する、扁平形電池の製造方法。
【発明の詳細な説明】
【技術分野】
【０００１】
本発明は、コイン形電池等の扁平形電池に関する。
【背景技術】
【０００２】
従来より、有底筒状の外装缶と該外装缶の開口を覆うように配置される封口缶とを備えた扁平形電池は知られている。このような扁平形電池では、例えば特許文献１、２に開示されるように、電池内部の気密性を保ち且つ外装缶と封口缶との電気的な絶縁を確保するために、外装缶と封口缶との接続部分に樹脂製のガスケットを配置している。すなわち、封口缶の周壁部上には、外装缶との間に挟み込まれるガスケットが配置されている。
【０００３】
また、前記特許文献１、２には、前記ガスケットを封口缶の周壁部上にモールド成形する構成が開示されている。
【先行技術文献】
【特許文献】
【０００４】
【特許文献１】特開平４−３４８３７号公報
【特許文献２】特開昭６１−２３３９６５号公報
【発明の概要】
【発明が解決しようとする課題】
【０００５】
ところで、上述の各構成のように、封口缶の周壁部にガスケットを成形する場合、溶融した樹脂材料を成形型内に射出する射出成形が用いられる。すなわち、成形型内に封口缶の周壁部の開口端側を配置した状態で、該成形型内に溶融した樹脂材料を注入する。このとき、成形型内に溶融した樹脂材料が行き渡るように、溶融した樹脂材料は所定の圧力で成形型内に射出される。
【０００６】
一般的に扁平形電池の封口缶の周壁部の厚みは薄いため、上述の射出成形の際に所定の圧力で射出された樹脂材料が封口缶の周壁部に当たると、該周壁部が変形する可能性がある。
【０００７】
また、射出成形の際に溶融した樹脂材料が封口缶の周壁部に当たると、封口缶の周壁部によって、成形型内への樹脂材料の進入が阻害されるため、成形型の隅々まで樹脂材料を行き渡らせるのが難しくなる。
【０００８】
本発明の目的は、ガスケットが封口缶の周壁部上に成形された扁平形電池において、ガスケットの射出成形時に、封口缶の周壁部が変形するのを防止しつつ、成形型内に樹脂材料を効率良く注入可能な構成を得ることにある。
【課題を解決するための手段】
【０００９】
本発明の一実施形態にかかる扁平形電池は、筒軸方向に延びる筒状側壁部を有する有底筒状の外装缶と、前記筒軸方向に延びる周壁部を有し、該周壁部が前記外装缶の内方に位置付けられるように前記外装缶の開口を覆う有底筒状の封口缶と、前記封口缶の周壁部上に射出成形によって形成され、前記外装缶と前記封口缶とによって挟み込まれるガスケットとを備え、前記ガスケットは、前記封口缶の周壁部の少なくとも一部を覆うように該周壁部上に成形される被覆部と、該被覆部と一体に形成され、前記周壁部に対して前記筒軸方向の外方に位置する突出部とを有し、前記突出部は、前記ガスケットの射出成形に用いる成形型の注入口に対応して形成される注入部を有する（第１の構成）。
【００１０】
これにより、封口缶の周壁部上にガスケットを成形する際に、成形型内に射出される樹脂材料によって封口缶の周壁部が変形を生じるのを防止できる。すなわち、成形型の注入口に対応した注入部は、ガスケットのうち、封口缶の周壁部に対して筒軸方向外方に位置する突出部に設けられる。よって、射出成形の際には、封口缶の周壁部が存在しない部分に対して樹脂材料が射出される。そのため、成形型内に樹脂材料を射出した場合に、該樹脂材料が封口缶の周壁部に直接、当たるのを防止できる。これにより、射出成形時に成形型内に射出された樹脂材料によって封口缶の周壁部が変形を生じるのを防止できる。しかも、射出成形時に、成形型内に射出された樹脂材料は封口缶の周壁部に直接、当たらないため、該周壁部によって樹脂材料の流れが阻害されるのを防止できる。よって、成形型内に樹脂材料を効率良く注入することができる。
【００１１】
前記第１の構成において、前記被覆部及び前記突出部は、前記外装缶側に位置する部分が、前記外装缶の筒状側壁部と前記封口缶の周壁部との間に挟み込まれ、前記注入部は、前記突出部のうち前記外装缶の筒状側壁部と面する部分に位置するのが好ましい（第２の構成）。
【００１２】
これにより、成形型内に射出される樹脂材料が封口缶の周壁部に当たるのをより確実に防止できる。すなわち、ガスケットの突出部のうち外装缶側に位置する部分から、溶融した樹脂材料を成形型内に射出した場合、該成形型内で封口缶の周壁部が存在しない部分に樹脂材料が射出される。よって、射出成形時に、成形型内に射出された樹脂材料によって封口缶の周壁部が変形を生じるのをより確実に防止できるとともに、成形型内に樹脂材料をより効率良く注入することができる。
【００１３】
前記第２の構成において、前記注入部は、前記突出部の表面に形成された凹部を有するのが好ましい（第３の構成）。こうすることで、ガスケットが封口缶と外装缶との間に挟まれた状態で、注入部に形成された凹部は、外装缶とガスケットとの間に隙間を形成する。これにより、ガスケットと外装缶との間に扁平形電池内の電解液等が進入した場合でも、凹部によって形成される前記隙間内に電解液等を貯めることができる。したがって、上述の構成により、扁平形電池の液漏れ等を防止することができる。
【００１４】
前記第１から第３の構成のうちいずれか一つの構成において、前記突出部は、前記筒軸方向の長さが、該突出部の厚み方向の寸法よりも大きいのが好ましい（第４の構成）。
【００１５】
このように突出部の筒軸方向の寸法が大きい構成の場合には、突出部において外装缶の筒状側壁部に面する部分に樹脂材料の注入部を設けやすい。
【００１６】
また、上述のような構成を有する突出部は、前記筒軸方向に変形を生じやすい。そのため、突出部の先端部分がガスケットの内方に変形し、突出部と外装缶との間に隙間を形成する。この隙間にもガスケットと外装缶との間に進入した電解液等を貯めることができる。よって、扁平形電池の液漏れをより確実に防止できる。
【００１７】
本発明の一実施形態に係る扁平形電池の製造方法では、有底筒状の封口缶を形成する封口缶形成工程と、前記封口缶の周壁部上に、成形型を用いて、前記封口缶の周壁部を覆う被覆部と該被覆部から突出する突出部とを有するガスケットを射出成形するガスケット成形工程とを備え、前記ガスケット成形工程では、射出成形時に、前記成形型のうち前記突出部を形成する部分に対して樹脂を射出することにより前記ガスケットを成形する（第５の方法）。
【００１８】
この方法により、射出成形の際に、射出された樹脂材料によって封口缶の周壁部が曲がったり、該周壁部によって成形型内での樹脂材料の流れが阻害されたりするのを防止できる。よって、射出成形時に、封口缶の周壁部が変形するのを防止しつつ、成形型内に樹脂材料を効率良く注入することができる。
【発明の効果】
【００１９】
本発明の一実施形態に係る扁平形電池では、ガスケットを射出成形する際に、外装缶と封口缶との間に挟み込まれるガスケットのうち封口缶の周壁部を覆う被覆部から突出する突出部に、樹脂材料を射出する。これにより、射出成形する際に封口缶の周壁部が変形を生じるのを防止しつつ、樹脂材料を効率良く成形型内に注入することができる。
【図面の簡単な説明】
【００２０】
【図１】図１は、本発明の一実施形態に係る扁平形電池の概略構成を示す断面図である。
【図２】図２は、扁平形電池内の電極体の構造を断面で拡大して示す部分拡大断面図である。
【図３】図３は、ガスケットの注入部を拡大して示す部分拡大断面図である。
【図４】図４は、負極缶にガスケットをモールド成形するときの様子を示す図である。
【発明を実施するための形態】
【００２１】
以下、図面を参照し、本発明の実施の形態を詳しく説明する。図中の同一または相当部分については同一の符号を付してその説明は繰り返さない。
【００２２】
（全体構成）
図１は、本発明の一実施形態である扁平形電池１の概略構成を示す断面図である。この扁平形電池１は、有底円筒状の外装缶としての正極缶１０と、該正極缶１０の開口を覆う封口缶としての負極缶２０と、正極缶１０と負極缶２０との間に挟み込まれるガスケット３０と、正極缶１０及び負極缶２０の間に形成される空間内に収納される電極体４０とを備える。したがって、扁平形電池１は、正極缶１０と負極缶２０とを合わせることによって、全体が扁平なコイン状となる。扁平形電池１の正極缶１０及び負極缶２０の間に形成される空間内には、電極体４０以外に、非水電解液（図示省略）も封入されている。なお、正極缶１０と負極缶２０とを組み合わせることにより、電池ケースが構成される。
【００２３】
正極缶１０は、ステンレスなどの金属材料からなり、プレス成形によって有底円筒状に形成されている。正極缶１０は、円形状の底部１１と、その外周に該底部１１と連続して形成される円筒状の周壁部１２（筒状側壁部）とを備える。この周壁部１２は、縦断面視（図１に図示した状態）で、底部１１の外周端からほぼ垂直に延びるように設けられている。正極缶１０は、後述するように、負極缶２０との間にガスケット３０を挟んだ状態で、周壁部１２の開口端側が正極缶１０の内側に折り曲げられて、該負極缶２０に対してかしめられている。なお、図１における符号Ｐは、正極缶１０の筒軸である。周壁部１２は、正極缶１０の筒軸方向に延びている。
【００２４】
負極缶２０も、正極缶１０と同様、ステンレスなどの金属材料からなり、プレス成形によって有底円筒状に形成されている。負極缶２０は、正極缶１０の周壁部１２よりも外形が小さい概略円筒状の周壁部２２と、その一方の開口を塞ぐ円形状の平面部２１と、を有する。この周壁部２２も、正極缶１０と同様、縦断面視で、平面部２１に対してほぼ垂直に延びるように設けられている。周壁部２２には、平面部２１側の基端部２２ａに比べて径が段状に大きくなる拡径部２２ｂが形成されている。すなわち、周壁部２２には、基端部２２ａと拡径部２２ｂとの間に段部２２ｃが形成されている。図１に示すように、この段部２２ｃに対して、正極缶１０の周壁部１２の開口端側が折り曲げられてかしめられている。すなわち、正極缶１０は、その周壁部１２の開口端側が負極缶２０の段部２２ｃに嵌合されている。なお、負極缶２０の周壁部２２も、正極缶１０の周壁部１２と同様、筒軸方向に延びている。
【００２５】
ガスケット３０は、ポリプロピレン（ＰＰ）からなる。ガスケット３０は、正極缶１０の周壁部１２と負極缶２０の周壁部２２との間に挟みこまれるように、該負極缶２０の周壁部２２上にモールド成形されている。ガスケット３０の詳しい構成については後述する。なお、ガスケット３０の材料としては、ＰＰに限らず、ポリフェニレンサルファイド（ＰＰＳ）にオレフィン系エラストマーを含有した樹脂組成物や、ポリテトラフルオロエチレン（ＰＦＡ）、ポリアミド系樹脂などを用いてもよい。
【００２６】
電極体４０は、図２にも示すように、袋状のセパレータ４４内に収容された略円板状の正極４１と、略円板状の負極４６と、を厚み方向に交互に複数、積層してなる。これにより、電極体４０は、全体として略円柱状の形状を有している。また、電極体４０は、両端面が負極になるように、複数の正極４１及び負極４６が積層されている。
【００２７】
正極４１は、コバルト酸リチウム等の正極活物質を含有する正極活物質層４２を、アルミニウム等の金属箔製の正極集電体４３の両面に配置したものである。
【００２８】
負極４６は、黒鉛等の負極活物質を含有する負極活物質層４７を、銅等の金属箔製の負極集電体４８の両面に配置したものである。略円柱状の電極体４０の軸方向両端に位置する負極は、それぞれ、負極集電体４８，４８が電極体４０の軸方向端部に位置するように、負極集電体４８の一面側にのみ負極活物質層４７を有している。すなわち、略円柱状の電極体４０は、その両端に負極集電体４８，４８が露出している。この電極体４０の一方の負極集電体４８は、正極終電体４３及び絶縁シート４９を介して正極缶１０の底部１１上に位置づけられる（図１及び図２参照）。電極体４０の他方の負極集電体４８は、電極体４０が正極缶１０と負極缶２０との間に配置された状態で、該負極缶２０の平面部２１に当接する（図１参照）。
【００２９】
セパレータ４４は、平面視で略円形状に形成された袋状の部材であり、略円板状の正極４１を収納可能な大きさに形成されている。セパレータ４４は、絶縁性に優れたポリエチレン製の微多孔性薄膜によって構成されている。このように、セパレータ４４を微多孔性薄膜によって構成することで、リチウムイオンが該セパレータ４４を透過することができる。セパレータ４４は、一枚の長方形状の微多孔性薄膜のシート材によって正極４１を包み込んで、該シート材の重なっている部分を熱溶着等によって接着することにより形成される。
【００３０】
図１及び図２に示すように、正極４１の正極集電体４３には、平面視で該正極集電体４３の外方に向かって延びる導電性の正極リード５１が一体形成されている。この正極リード５１の正極集電体４３側も、セパレータ４４によって覆われている。なお、絶縁シート４９と正極缶１０の底部１１との間には、正極活物質層４２が設けられていない正極集電体４３が配置されている。すなわち、この正極集電体４３は、正極缶１０の底部１１に電気的に接触している。
【００３１】
負極４６の負極集電体４８には、平面視で該負極集電体４８の外方に向かって延びる導電性の負極リード５２が一体形成されている。
【００３２】
図１及び図２に示すように、正極４１及び負極４６は、各正極４１の正極リード５１が一側に位置し、且つ、各負極４６の負極リード５２が該正極リード５１とは反対側に位置するように、積層される。
【００３３】
上述のように複数の正極４１及び負極４６を厚み方向に積層した状態で、複数の正極リード５１は、先端側を厚み方向に重ね合わされて、超音波溶接等によって接続される。これにより、複数の正極リード５１を介して、複数の正極４１同士が電気的に接続されるとともに、各正極４１と正極缶１０とがそれぞれ電気的に接続される。一方、複数の負極リード５２も、先端側を厚み方向に重ね合わされて超音波溶接等によって互いに接続される。これにより、複数の負極リード５２を介して、複数の負極４６同士が電気的に接続されるとともに、各負極４６と負極缶２０とがそれぞれ電気的に接続される。
【００３４】
（ガスケットの構成）
次に、ガスケット３０の構成を図１、図３及び図４を用いて詳細に説明する。
【００３５】
図１及び図４に示すように、ガスケット３０は、負極缶２０の周壁部２２を包み込むように概略円筒状に形成されている。詳しくは、ガスケット３０は、周壁部２２の負極缶内方側、及び、該周壁部２２における段部２２ｃ及び拡径部２２ｂのそれぞれの負極缶外方側を覆うように、負極缶２０にモールド成形されている。また、ガスケット３０は、周壁部２２の開口側から負極缶２０の筒軸方向に突出するように設けられている。すなわち、ガスケット３０は、負極缶２０の周壁部２２を覆う被覆部３１と、負極缶２０の周壁部２２に対して該負極缶２０の筒軸方向外方に位置する突出部３２とを有する。
【００３６】
図１に示すように、ガスケット３０は、負極缶２０の周壁部２２の基端部２２ａの内面とほぼ面一になるような内径を有する。すなわち、ガスケット３０の被覆部３１及び突出部３２は、同等の内径を有する。
【００３７】
ガスケット３０は、負極缶２０の外周側に正極缶１０の周壁部１２をかしめた状態で、該正極缶１０の底部１１に接触するような長さを有する。これにより、負極缶２０に対して正極缶１０をかしめた場合に、ガスケット３０の突出部３２の先端部分は、正極缶１０の底部１１に押し付けられる。これにより、ガスケット３０の突出部３２の先端部分によって、正極缶１０及び負極缶２０によって形成される空間が密閉される。
【００３８】
また、上述のように、正極缶１０の周壁部１２の開口端側を負極缶２０の外周側にかしめることにより、該正極缶１０の周壁部１２の開口端側によって、ガスケット３０が圧縮される。よって、ガスケット３０によって、正極缶１０の周壁部１２と負極缶２０の外周側との間がシールされる。
【００３９】
なお、正極缶１０の底部１１に対するガスケット３０の突出部３２の先端部の押し付け力は、正極缶１０の周壁部１２の外周側を負極缶２０の外周側にかしめた際にガスケット３０が受ける力により得られる。
【００４０】
ガスケット３０の突出部３２は、負極缶２０の筒軸方向の長さが、負極缶２０の周壁部２２を覆う被覆部３１の前記筒軸方向の長さと同等である。また、ガスケット３０の突出部３２は、前記筒軸方向の長さが、負極缶２０の径方向に対応する厚み方向の寸法よりも大きい。
【００４１】
このように、ガスケット３０のうち負極缶２０の周壁部２２を覆っていない突出部３２を、負極缶２０の筒軸方向に長い形状とすることで、該突出部３２を容易に変形させることができる。
【００４２】
また、ガスケット３０全体の前記筒軸方向の長さも従来に比べて大きくなるため、その分、ガスケット３０によって正極缶１０と負極缶２０とを広い範囲でシールすることが可能になる。これにより、正極缶１０と負極缶２０との隙間から液漏れ等が生じるのをより確実に防止することができる。
【００４３】
本実施形態のガスケット３０は、後述するように、溶融した樹脂材料を成形型内に注入して成形する、いわゆる射出成形によって形成される。ガスケット３０の突出部３２には、成形型内に溶融した樹脂材料を注入する注入口に対応して注入部３３が位置する。すなわち、注入部３３は、ガスケット３０を射出成形する際に、成形型内に樹脂材料を注入する注入口によって形成される。
【００４４】
注入部３３は、前記注入口によって形成された凸部３０ａ（図４参照）を除去した際に形成される凹部３３ａを有する。すなわち、後述するように、成形型の注入口によって、ガスケット３０の突出部３２には、樹脂が突出した凸部３０ａが形成される。この凸部３０ａは、成形型からガスケット３０を取り出す際に、成形型の一部によって除去される。そのため、凸部３０ａの根元部分がえぐられて、上述のような凹部３３ａが形成される。
【００４５】
このように、ガスケット３０の突出部３２が形成される部分に対して樹脂材料を射出することにより、成形型内に射出された樹脂材料によって負極缶２０の周壁部２２が変形を生じるのを防止できる。また、上述の構成により、負極缶２０の周壁部２２によって、成形型内への樹脂材料の注入が阻害されるのを防止できる。
【００４６】
さらに、注入部３３は、突出部３２の正極缶１０側の表面に形成された凹部３３ａを有するため、図１及び図３に示すように、負極缶２０に対して正極缶１０をかしめた状態で、該正極缶１０の周壁部１２とガスケット３０との間に隙間３５を形成する。この隙間３５内に、ガスケット３０の突出部３２と正極缶１０の底部１１との間に進入した電解液等がたまる。したがって、隙間３５によって、扁平形電池１における電解液等の液漏れを防止することが可能になる。
【００４７】
なお、既述のように、ガスケット３０の突出部３２は、負極缶２０の筒軸方向に対応する長さが厚み方向の寸法よりも大きい。これにより、ガスケット３０の成形型において、突出部３２の周壁部１２側を形成する部分に、樹脂材料を注入するための注入口を容易に設けることができる。
【００４８】
（扁平形電池の製造方法）
次に、上述のような構成を有する扁平形電池１の製造方法について説明する。
【００４９】
まず、プレス成形によって、有底円筒状の正極缶１０及び負極缶２０を、それぞれ形成する。
【００５０】
一方、セパレータ４４によって覆われた複数の板状の正極４１と、複数の板状の負極４６とを厚み方向に積層して、図１に示すような略円柱状の電極体４０を構成する。電極体４０は、従来の方法と同様の方法によって製造されるため、詳しい製造方法については説明を省略する。
【００５１】
負極缶２０にガスケット３０をモールド成形する様子を、図４を用いて説明する。
【００５２】
図４に示すように、固定成形型６１と、可動成形型６２と、リング状の断面を有するピストン可動成形型６３とを負極缶２０の外側に配置し、ピン６４を該負極缶２０の内側に配置する。これにより、これらの成形型６１，６２，６３及びピン６４によって、負極缶２０の周壁部２２の周りにガスケット３０を形成するための空間６０が形成される。したがって、固定成形型６１，可動成形型６２，ピストン可動成形型６３及びピン６４によって、ガスケット３０を成形するための成形型が構成される。
【００５３】
固定成形型６１には、空間６０内に外部から樹脂材料を注入するための注入口６１ａが設けられている。この注入口６１ａから空間６０内に溶融した樹脂材料を注入することにより、空間６０内を樹脂材料によって埋める。この際、固定成形型６１の注入口６１ａは、負極缶２０の周壁部２２が存在しない位置に設けられているため、注入口６１ａから樹脂材料を射出する際に、周壁部２２に当たって該周壁部２２に変形を生じさせるのを防止できる。しかも、周壁部２２によって、樹脂材料の流れが阻害されるのを防止できる。
【００５４】
空間６０内の樹脂材料が硬化してガスケット３０が成形された後、まず、可動成形型６２を取り外す。そして、ピストン可動成形型６３をピン６４の軸方向（図４中の白抜き矢印方向）に移動させることにより、ガスケット３０がモールド成形された負極缶２０を該ピン６４及び固定成形型６１から脱離させることができる。
【００５５】
ガスケット３０は、図４に示すように空間６０内に樹脂材料によって成形された状態では、固定成形型６１の注入口６１ａ内に突出する凸部３０ａを有する。この凸部３０ａは、上述のようにガスケット３０を固定成形型６１に対して図４の白抜き矢印方向に移動させる際に、固定成形型６１によって切断される。このとき、ＰＰなどの樹脂材料によって構成されたガスケット３０は、突出部３０ａだけがきれいに切除されるのではなく、えぐられるように取り除かれるため、ガスケット３０の表面に図１及び図３に示すような凹部３３ａが形成される。
【００５６】
ここで、固定成形型６１は、円筒状のガスケット３０の外側面を成形する部分が、負極缶２０の周壁部２２の段部２２ｃに向かって徐々に内径が大きくなるようなテーパ状に形成されている。これにより、上述のようにピストン可動成形型６３によってガスケット３０を押した場合に、固定成形型６１から負極缶２０を容易に脱離させることができる。
【００５７】
正極缶１０内に、電極体４０を絶縁シート４７等とともに配置し、非水電解液を注入する。そして、上述のようにしてガスケット３０がモールド成形された負極缶２０を、正極缶１０の開口を覆うように配置する。その状態で、正極缶１０の周壁部１２の開口端側を、負極缶２０の周壁部２２の段部２２ｃに対して正極缶１０の内方に折り曲げてかしめる。これにより、上述の構成の扁平形電池１が得られる。ここで、非水電解液は、例えば、エチレンカーボネートとメチルエチルカーボネートとを混合した溶媒に、ＬｉＰＦ６を溶解させることにより得られる。
【００５８】
ここで、プレス成形によって負極缶２０を形成する工程が封口缶形成工程に対応し、負極缶２０の周壁部２２上にガスケット３０をモールド成形する工程がガスケット成形工程に対応する。
【００５９】
（実施形態の効果）
この実施形態では、負極缶２０の周壁部２２上に形成されるガスケット３０は、該周壁部２２を覆う被覆部３１と、該被覆部３１から負極缶２０の筒軸方向に突出する突出部３２とを有する。この突出部３２は、ガスケット３０を射出成形によって形成する際に成形型内へ樹脂材料を注入する注入口に対応した注入部３３を有する。
【００６０】
これにより、ガスケット３０を射出成形する際に、負極缶２０の周壁部２２が成形型内へ射出された樹脂材料によって変形を生じたり、該周壁部２２によって成形型内での樹脂材料の流れが阻害されたりするのを防止できる。したがって、ガスケット３０を射出成形する際の負極缶２０の周壁部２２の変形を防止しつつ、射出成形時に成形型内に効率良く樹脂材料を注入可能な構成が得られる。
【００６１】
また、ガスケット３０に形成される注入部３３は、成形型の注入口内に形成された凸部３０ａを固定成形型６１によって切断することにより得られる凹部３３ａを有する。これにより、ガスケット３０の注入部３３には、該ガスケット３０と正極缶１０の周壁部１２との間に隙間３５が形成される。この隙間３５が形成されることにより、扁平形電池１内の電解液等がガスケット３０と正極缶１０の周壁部１２との間に進入した場合でも、隙間３５内で電解液等を保持することが可能になる。したがって、注入部３３の凹部３３ａによって、扁平形電池１の液漏れを防止することができる。
【００６２】
しかも、ガスケット３０の突出部３２は、厚み方向の寸法よりも負極缶２０の筒軸方向の長さの方が大きい。そのため、負極缶２０の周壁部２２に対して正極缶１０の周壁部１２をかしめると、ガスケット３０は前記筒軸方向に圧縮されて、突出部３２の先端側がガスケット３０の内方に倒れこむように変形する。これにより、ガスケット３０と正極缶１０との間に部分的に隙間が形成されることになる。この隙間によっても、扁平形電池１の液漏れを防止することが可能になる。
【００６３】
（その他の実施形態）
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００６４】
前記実施形態では、ガスケット３０の突出部３２は、負極缶２０の筒軸方向の長さが、ガスケット３０の被覆部３１の前記筒軸方向の長さと同等である。また、前記実施形態では、突出部３２は、前記筒軸方向の長さが、厚み方向の寸法よりも大きい。しかしながら、突出部３２は、射出成形の際に成形型内に樹脂を射出可能な大きさ、すなわち注入部３３の凹部３３ａが形成可能な大きさであれば、どのような大きさであってもよい。
【００６５】
前記実施形態では、電極体４０を、複数の正極４１及び負極４６を交互に積層した構成としているが、電極体の構成はこれ以外の構成であってもよい。
【００６６】
前記実施形態では、正極缶１０を外装缶としていて、負極缶２０を封口缶としているが、逆に正極缶が封口缶で、負極缶が外装缶であってもよい。
【００６７】
前記実施形態では、正極缶１０及び負極缶２０を、それぞれ有底円筒状に形成して、扁平形電池１をコイン状に形成したが、この限りではなく、扁平形電池を、多角柱状など、円柱状以外の形状に形成してもよい。
【産業上の利用可能性】
【００６８】
本発明による扁平形電池は、ガスケットが封口缶に成形された扁平形電池に利用可能である。
【符号の説明】
【００６９】
１：扁平形電池、１０：正極缶（外装缶）、１２：周壁部（筒状側壁部）、２０：負極缶（封口缶）、２２：周壁部、３０：ガスケット、３１：被覆部、３２：突出部、３３：注入部、３３ａ：凹部、６１：固定成形型、６１ａ：注入口、６２：可動成形型、６３：ピストン可動成形型、６４：ピン
【図１】
2014022120.tif 000003
【図２】
2014022120.tif 000004
【図３】
2014022120.tif 000005
【図４】
2014022120.tif 000006